(57)【特許請求の範囲】
【請求項１】
ロータハブと、ロータマグネットと、そのロータマグネットに対し径方向内方に相対するステータコアと、そのステータコアに巻回されたステータコイルを備えてなり、前記ロータハブの回転軸心線方向一方側に記録用媒体支持部が形成されると共に、ロータハブの前記一方側における記録用媒体支持部より内周側に記録用媒体保持手段が設けられることによりターンテーブルが構成されてなるスピンドルモータであって、
前記ロータハブがプレス加工により成形されてなり、
ロータハブのうち、記録用媒体保持手段が位置する第１環状部分の回転軸心線方向他方側よりも、その第１環状部分より外周側においてステータコイルと回転軸心線方向に相対する第２環状部分の前記他方側の方が、前記一方に位置し、
前記第２環状部分の前記一方側に前記記録用媒体支持部を有し、
前記ステータコイルの前記一方側の端部が、ロータハブとの間隙を許容間隙以上にとりつつ、前記第１環状部分の前記他方側よりも前記一方に位置するか、前記第１環状部分の前記他方側と同じ回転軸心線方向位置であるか、又は、ステータコイルとロータハブとの許容間隙よりも小さい回転軸線方向距離だけ前記第１環状部分の前記他方側よりも前記他方に位置することを特徴とするターンテーブルを有するスピンドルモータ。
【発明の詳細な説明】
【０００１】
【発明の属する技術分野】
本発明は、光ディスク、光磁気ディスク等の記録用媒体を支持して回転駆動するためのターンテーブルを有するスピンドルモータに関する。
【０００２】
【従来の技術及び発明が解決しようとする課題】
図４に示されるような従来のターンテーブルを有するスピンドルモータにおいては、ほぼ逆カップ形状をなすロータハブａの上側の外周寄りに、記録用ディスクｂの下面を支持するための環状突部ｃが形成されると共に、その環状突部ｃの内周側に形成された上方開口の環状凹部ｄ内に、記録用ディスクｂを磁気的に吸引保持するためのクランプ用マグネットｅが配装されることにより、ターンテーブルｆが構成されている。クランプ用マグネットｅの上面は、前記環状突部ｃよりやや低い状態で配装されている。
【０００３】
この種のスピンドルモータが組み込まれる記録用媒体駆動装置や、ノートパソコン等のコンピュータには、薄型化の要請が極めて強いので、図４に示される従来のターンテーブルを有するスピンドルモータにおいても、ステータｇを軸受ｈと同じ上下位置に設けることにより、薄型化が図られている。
【０００４】
ところが、更なる薄型化の要請は強まる一方であるのに対し、部材の薄肉化には限界があり、ステータコイルｉとロータハブａとの間隙ｗも、ステータコアｊに巻回されたステータコイルｉの上端位置にばらつきがあるため、許容される間隙を超えて縮小することはできない。すなわち、従来のターンテーブルを有するスピンドルモータの構成では、薄型化の限界に到達しつつあり、これ以上の薄型化の要請に応えるのは困難であった。
【０００５】
本発明は、従来技術に存した上記のような問題点に鑑み行われたものであって、その目的とするところは、より一層薄型の、ターンテーブルを有するスピンドルモータを提供することにある。
【０００６】
【課題を解決するための手段】
本発明のターンテーブルを有するスピンドルモータは、
ロータハブと、ロータマグネットと、そのロータマグネットに対し径方向内方に相対するステータコアと、そのステータコアに巻回されたステータコイルを備えてなり、前記ロータハブの回転軸心線方向一方側に記録用媒体支持部が形成されると共に、ロータハブの前記一方側における記録用媒体支持部より内周側に記録用媒体保持手段が設けられることによりターンテーブルが構成されてなるスピンドルモータであって、
前記ロータハブがプレス加工により成形されてなり、
ロータハブのうち、記録用媒体保持手段が位置する第１環状部分の回転軸心線方向他方側よりも、その第１環状部分より外周側においてステータコイルと回転軸心線方向に相対する第２環状部分の前記他方側の方が、前記一方に位置し、
前記第２環状部分の前記一方側に前記記録用媒体支持部を有し、
前記ステータコイルの前記一方側の端部が、ロータハブとの間隙を許容間隙以上にとりつつ、前記第１環状部分の前記他方側よりも前記一方に位置するか、前記第１環状部分の前記他方側と同じ回転軸心線方向位置であるか、又は、ステータコイルとロータハブとの許容間隙よりも小さい回転軸線方向距離だけ前記第１環状部分の前記他方側よりも前記他方に位置することを特徴とする。
【０００７】
許容間隙というのは、ロータハブとステータコイルが接触することを確実に回避する上で、ロータハブとステータコイルの間に最低限必要とする間隔を言う。
【０００８】
本発明のターンテーブルを有するスピンドルモータにおいては、ロータハブの回転軸心線方向一方側（例えば、回転軸心線方向を上下方向とした場合の上方側）に記録用媒体支持部が形成されると共に、ロータハブの前記一方側（例えば上方側）における記録用媒体支持部より内周側に記録用媒体保持手段が設けられることによりターンテーブルが構成されている。従って記録用媒体は、ロータハブの記録用媒体支持部（の例えば上側）に支持されてその内周側の記録用媒体保持手段により保持された状態で、回転駆動される。
【０００９】
ロータハブのうち、記録用媒体保持手段が位置する第１環状部分の回転軸心線方向他方側（例えば下方側）よりも、その第１環状部分より外周側においてステータコイルと回転軸心線方向（例えば上下方向）に相対する第２環状部分の前記他方側（例えば下方側）の方が、前記一方（例えば上方）に位置する。そのため、ステータコイルの前記一方側（例えば上方側）の端部を、ロータハブとの間隙を許容間隙以上にとりつつ、前記第１環状部分の前記他方側（例えば下方側）よりも前記一方（例えば上方）に位置させるか、前記第１環状部分の前記他方側（例えば下側）と同じ回転軸心線方向位置とするか、又は、ステータコイルとロータハブとの許容間隙よりも小さい回転軸線方向距離だけ前記第１環状部分の前記他方側（例えば下方側）よりも前記他方（例えば下方）に位置させることができる。これにより、スピンドルモータのうちステータコイルが位置する半径方向部分の回転軸心線方向寸法が短くなる。
【００１０】
【発明の実施の形態】
本発明の実施の形態を、図１乃至図３を参照しつつ説明する。
【００１１】
図１は、本発明の実施の形態の一例としてのターンテーブルを有するスピンドルモータ（電動機）の断面図である。
【００１２】
図１のスピンドルモータにおいては、略円筒状をなすステータフレーム１０の外周側上下中間位置に設けられた環状張出部１０ａの上側に、ステータコイル１４が巻回されたステータコア１６が外嵌固定されている。
【００１３】
ステータフレーム１０の内周側には、その上下中間位置に突設された内方突部１０ｂを挟む上下にそれぞれ玉軸受１８・２０が内嵌され、その玉軸受１８・２０を介して、回転軸２２が回転自在に支持されている。ステータフレーム１０の底部はキャップ２４によってシールされている。
【００１４】
ロータハブ２６は、ほぼ逆椀形状をなし、内周端部の短円筒状部２６ａと、天板部２６ｂと、円筒状の外周壁部２６ｃからなる。天板部２６ｂの内周端は、短円筒状部２６ａの外周下部に連結し、外周壁部２６ｃの上端部は天板部２６ｂの外周端部に連結している。ロータハブ２６は、短円筒状部２６ａの内周が回転軸２２に外嵌され、短円筒状部２６ａの下端面が上側玉軸受２０の内輪の上面に当接した状態において、回転軸２２の上部に外嵌固定されている。短円筒状部２６ａの内周面及び下端面は、組み立て精度を高めるために、切削加工等によりそれぞれ高精度に、ロータハブ２６の軸心線を中心とする円筒面状及びその軸心線に垂直な平面状に加工されている。
【００１５】
天板部２６ｂは、主に内周側の環状平板部２６ｂ１と、外周側の下方開口の環状溝形状部２６ｂ２からなる。この例では、環状溝形状部２６ｂ２は断面ほぼ逆Ｖ字形状であり、ロータハブ２６全体をプレス加工により成形することができるが、これに限るものではなく、例えば断面ほぼ逆Ｕ字形状、或いは図３に示されるように断面ほぼ倒コ字形状であってもよい。
【００１６】
環状溝形状部２６ｂ２の上側に、記録用媒体支持部としての環状突条２８が形成されている。記録用媒体支持部は、必ずしもこのような形状であることを要するものではない。例えば、周方向に不連続であってもよく、また、このような突条でなく、環状溝形状部２６ｂ２の上側がそのまま記録用媒体支持部とされたものであってもよい。何れにせよ、記録用媒体支持部の上面（記録用媒体支持面）は、着脱可能な記録用媒体３０（例えば光ディスクや光磁気ディスク等）の高さ位置の基準面であるため、切削加工等により高精度に、ロータハブ２６の軸心線に垂直な平面状に加工されている。
【００１７】
短円筒状部２６ａと環状溝形状部２６ｂ２に挟まれて上方開口の環状凹部に形成された環状平板部２６ｂ１（第１環状部分）の上側に、記録用媒体保持手段の一例としての環状板状のクランプ用マグネット３２が配装され、接着剤３４により固定されている。環状溝形状部２６ｂ２の上側内周部とクランプ用マグネット３２の外周部との間に接着剤３４が溜まり易いので、接着固定作業が容易且つ確実である。記録用媒体３０の下面が環状突条２８により支持されるようにするため、クランプ用マグネット３２の上面及び短円筒状部２６ａの上面は、環状突条２８の上面よりも低く構成されている。この、クランプ用マグネット３２が配装固定され、環状突条２８が設けられ手回転自在に構成された天板部２６ｂが、ターンテーブルを構成する。
【００１８】
ロータハブ２６の外周壁部２６ｃの内周側には、円筒形状のロータマグネット３６が内嵌固定され、ステータコア１６と径方向空隙を介して相対している。
【００１９】
ロータハブ２６の材料としては、クランプ用マグネット３２やロータマグネット３６のヨークとして機能する強磁性材料が好ましく、特に、切削加工を受けることによっても錆びにくい強磁性ステンレス鋼が好ましい。また、ロータハブ２６が強磁性材料製である場合、そのロータハブ２６とクランプ用マグネット３２又はロータマグネット３６との間に作用する磁気的吸引力が、それら同士間の固定力としても作用する。
【００２０】
環状溝形状部２６ｂ２は、ステータコイル１４と上下方向（回転軸心線方向）に相対する第２環状部分を構成し、環状溝形状部２６ｂ２の下側面は環状平板部２６ｂ１の下側面よりも上方に位置する。そのため、ステータコイル１４の上端部は、図１に示されるように、ロータハブ２６との間の間隙Ｍを許容間隙（例えばステータコイル１４の線径の約２乃至５倍、好ましくは約３倍）以上にとり、且つ、環状平板部２６ｂ１の下側面よりも許容間隙より小さい距離Ｎだけ下方に位置する状態とすることができる。これによって、環状溝形状部２６ｂ２及びステータコイル１４が位置する部分、すなわちスピンドルモータの外周側の、上下方向（回転軸心線方向）寸法を短く、すなわち薄くしている。なお、回転軸の上下方向寸法が、環状溝形状部及びステータコイルが位置する部分と同等又はそれ以下であればスピンドルモータ全体の上下方向寸法が短くなる。
【００２１】
図２及び図３に示す例においては、ステータコイル１４の上端部は、ロータハブ２６との間の間隙を許容間隙以上にとり、且つ、環状溝形状部２６ｂ２により形成される下方開口の環状凹部３８内に位置する状態、すなわち環状平板部２６ｂ１の下側面よりも上方に位置する状態としている。これにより、環状溝形状部２６ｂ２及びステータコイル１４が位置する部分の上下方向寸法をより一層短く、すなわち薄くすることができる。なお、他の符号は、図１の例と同意義である。
【００２２】
以上、軸回転型のスピンドルモータを例にとって本発明の実施の形態を説明したが、固定軸体に対し軸受を介してロータハブが回転自在に支持されてなるスピンドルモータであっても本発明の範囲を逸脱するものではない。
【００２３】
なお、以上の実施の形態についての記述において、上下位置関係は、単に図に基づいた説明の便宜のためのものであって、実際の使用状態等を限定するものではない。また、構成部品の寸法、個数、材質、形状、その相対配置などは、特にそれらに限定される旨の記載がない限りは、この発明の範囲をそれらのみに限定する趣旨のものではなく、単なる説明例に過ぎない。
【００２４】
【発明の効果】
本発明によれば、ターンテーブルを有するスピンドルモータのうちステータコイルが位置する半径方向部分の回転軸心線方向寸法が従来に比し短くなるので、全体が薄型の、又は少なくともステータコイルが位置する半径方向位置において薄型の、ターンテーブルを有するスピンドルモータを提供することができる。
【図面の簡単な説明】
【図１】本発明の実施の形態の一例としてのターンテーブルを有するスピンドルモータの断面図である。
【図２】本発明の実施の形態の別の例としてのターンテーブルを有するスピンドルモータの要部断面図である。
【図３】本発明の実施の形態の更に別の例としてのターンテーブルを有するスピンドルモータの要部断面図である。
【図４】従来のターンテーブルを有するスピンドルモータの断面図である。
【符号の説明】
１４  ステータコイル
２６  ロータハブ
２６ｂ  天板部
２６ｂ１  環状平板部
２６ｂ２  環状溝形状部
２８  環状突条
３２  クランプ用マグネット
Ｍ  間隙
Ｎ  距離
【図１】
0003656675.tif 000002
【図２】
0003656675.tif 000003
【図３】
0003656675.tif 000004
【図４】
0003656675.tif 000005